(57)【要約】【課題】記録したシーンを要約した映像音声データであるダイジェストデータを作成する時に、複数人の嗜好を反映させる方法を提供する。【解決手段】ハードディスク４２、ブルーレイディスク４３、ＳＤカード４４など映像データを記録し、通信インターフェース７０を経由して外部媒体と映像情報などを送受信可能なビデオカメラ１において、映像データから所定の人物の特徴を検出する被写体特徴量算出回路３５を有し、外部端末からシーンに対する重要度領域と、重要度と、評価者情報とを受信し、その受信結果に基づいてダイジェストを作成するダイジェスト作成回路３８とを備える。【選択図】図１
2010109464.tif 000002
【特許請求の範囲】
【請求項１】
映像情報を記録し再生する情報記録再生装置であって、
映像情報を記録し再生する情報記録再生部と、
外部機器とデータの送受信を行う通信インターフェースと、
前記通信インターフェースを介して１つないし複数の前記外部機器から、前記映像情報の特定シーンの重要度情報を受信する重要度受信部と、
前記受信した重要度情報に基づき前記記録再生した映像情報の重要なシーンを抽出し、前記映像情報のダイジェスト情報を作成するダイジェスト情報作成部と
を有したことを特徴とする情報記録再生装置。
【請求項２】
請求項１に記載の情報記録再生装置において、
前記外部機器からの評価者情報を受信する評価者情報受信部と、
前記評価者情報から評価者の特徴である人物情報を算出する特徴量算出部とを有し、
前記ダイジェスト情報作成部は前記重要度情報と前記特徴量算出部に基づき前記映像情報の重要なシーンを抽出し、前記映像情報のダイジェスト情報を作成することを特徴とする情報記録再生装置。
【請求項３】
請求項２に記載の情報記録再生装置において、
前記特徴量算出部は前記記録し再生した映像情報に含まれる人物の特徴である人物情報を算出する機能を有し、
前記評価者の人物情報と前記映像情報に含まれる人物の人物情報が一致した場合には、前記ダイジェスト作成部は前記評価者の送信した重要度情報を他の評価者の送信した重要度情報よりも優先した重み付けをして前記映像情報の重要なシーンを抽出し、前記映像情報のダイジェスト情報を作成することを特徴とする情報記録再生装置。
【請求項４】
請求項１ないし３のいずれか１項に記載の情報記録再生装置において、
前記外部機器でシーンの重要度を設定するための転送用映像を作成する転送用映像作成部を有したことを特徴とする情報記録再生装置。
【請求項５】
請求項１ないし４のいずれか１項に記載の情報記録再生装置において、
前記外部機器から送信する前記重要度情報に応じて、前記外部機器の評価者の嗜好による重要度の重み付けができることを特徴とする情報記録再生装置。
【請求項６】
映像情報を記録し再生する情報記録再生方法であって、
映像情報を記録し再生する記録再生ステップと、
該記録再生ステップで再生された映像情報を外部端末へ送信する第１の送信ステップと、
前記外部端末から前記記録再生した映像情報の重要なシーンを通知するための重要度情報を受信する第１の受信ステップと、
前記重要度情報に基づき前記映像情報の重要なシーンを抽出し、前記映像情報のダイジェスト情報を作成するダイジェスト情報作成ステップと、
前記外部端末から前記ダイジェスト情報の要求を受信する第２の受信ステップと、
前記第２の受信ステップで受信した前記ダイジェスト情報の要求に応じて前記外部端末へ前記ダイジェスト情報を送信する第２の送信ステップと
を有し、前記外部端末からの通知に応じた前記映像情報のダイジェスト情報を作成することを特徴とする情報記録再生方法。
【請求項７】
請求項６に記載の情報記録再生方法において、
前記記録再生ステップで記録再生される映像情報は、前記第１の送信ステップで送信される映像情報よりもデータレートの高い映像情報を含むことを特徴とする情報記録再生方法。
【発明の詳細な説明】
【技術分野】
【０００１】
本発明の技術分野は情報記録再生装置および情報記録再生方法に係わり、特に複数人の嗜好を反映したダイジェストを作成することができる情報記録再生装置および情報記録再生方法に関する。
【背景技術】
【０００２】
当技術分野の背景技術として、例えば特許文献１と２とがある。
【０００３】
特許文献１には課題として「ユーザがハイライトシーン撮影中に操作することなく、ハイライトの位置と、ハイライトの重要度と、をユーザの意思で記録する手段を提供する。」と記載され、解決手段として「あらかじめシステム制御部１０１に遡り時間を保持し、ユーザＩ／Ｆ１０３より入力されたハイライト釦取得情報と重み付け情報取得した時、
システム制御部１０１はマーカ情報として遡り時間分遡った位置の情報と該重み付け情報を算出し、ドライブ制御部１０４を介し記録媒体１０５に記録する。ダイジェスト再生時は該マーカ情報に応じてダイジェスト再生位置を選択し、再生する。」と記載されている。
【０００４】
特許文献２には課題として「携帯端末のユーザが視聴したい映像を簡単に選択して、ユーザの希望する映像を配信することが可能な映像配信サーバを提供すること。」と記載され、解決手段として「映像配信サーバ３は、複数のカメラの映像の各場面に対して、画面内の拡大の中心位置が異なる複数の拡大映像を各々作成し、通常再生映像、スロー再生映像、および特殊編集映像を各々作成する内容記述装置２と、内容記述装置２で作成された映像を格納する動画ＤＢ３２と、携帯端末クライアント４で選択される、カメラ、画面内の拡大位置、および再生モードに応じて、動画ＤＢ３２から対応する映像を読み出して携帯端末クライアント３に配信する配信サーバ３１とを備えている。」と記載されている。
【０００５】
【特許文献１】特開２００８−９８７１９号公報
【特許文献２】特開２００３−２５０１１７号公報
【発明の開示】
【発明が解決しようとする課題】
【０００６】
上記特許文献１では、撮影者の嗜好に沿ったダイジェストを作成することができるが、複数人の評価を反映したダイジェストを作成する方法がさらに期待される。また、その場合に被写体以外の人が高い評価を行ったシーンであっても、被写体である当人がダイジェストに入れてほしくないと願う場合の対応も期待される。
【０００７】
また、上記特許文献２では、個々人の嗜好に沿ったダイジェストを携帯端末で再生できるが、上記同様複数人の評価を反映したダイジェストを作成する方法がさらに期待される。また、容量の大きい映像データを一旦サーバ上に送信する必要がある点も、改善が期待される。
【０００８】
本発明の目的は、複数人の嗜好を反映したダイジェストを作成できる映像記録再生装置および映像記録再生方法を提供することにある。
【課題を解決するための手段】
【０００９】
前記目的を達成するため、本発明は映像情報を記録し再生する情報記録再生装置であって、映像情報を記録し再生する情報記録再生部と、外部機器とデータの送受信を行う通信インターフェースと、前記通信インターフェースを介して１つないし複数の前記外部機器から、前記映像情報の特定シーンの重要度情報を受信する重要度受信部と、前記受信した重要度情報に基づき前記記録再生した映像情報の重要なシーンを抽出し、前記映像情報のダイジェスト情報を作成するダイジェスト情報作成部とを有したことを特徴としている。
【００１０】
また本発明は映像情報を記録し再生する情報記録再生方法であって、映像情報を記録し再生する記録再生ステップと、該記録再生ステップで再生された映像情報を外部端末へ送信する第１の送信ステップと、前記外部端末から前記記録再生した映像情報の重要なシーンを通知するための重要度情報を受信する第１の受信ステップと、前記重要度情報に基づき前記映像情報の重要なシーンを抽出し、前記映像情報のダイジェスト情報を作成するダイジェスト情報作成ステップと、前記外部端末から前記ダイジェスト情報の要求を受信する第２の受信ステップと、前記第２の受信ステップで受信した前記ダイジェスト情報の要求に応じて前記外部端末へ前記ダイジェスト情報を送信する第２の送信ステップとを有し、前記外部端末からの通知に応じた前記映像情報のダイジェスト情報を作成することを特徴としている。
【発明の効果】
【００１１】
本発明によれば、複数人の嗜好を反映したダイジェストを作成することができる。また必要に応じて、被写体と評価者が同一である場合の前記重要度の重みを大きくすることで、被写体の嗜好を優先したダイジェストを作成することができるという効果がある。
【発明を実施するための最良の形態】
【００１２】
以下、この発明に好適な実施形態の例について図面を参照しながら説明する。
まず、図１を用いて本発明に係るビデオカメラとしての情報記録再生装置の構成を説明する。図１は、本発明による情報記録再生装置の一実施例を示すブロック図である。
【００１３】
ビデオカメラ１は、複数の記憶媒体に映像データ及び音声データを記録可能なものである。ビデオカメラ１は、撮影部１０、出力部２０、制御部３０及び記録部４０を備え、内部バス５０を介して互いに接続されている。
【００１４】
撮影部１０は、映像を撮影するためのものである。撮影部１０は、レンズユニットと撮像センサからなる撮像部１２及び映像入力回路１１を備えている。
【００１５】
ビデオカメラ１が撮影する映像は、ＣＭＯＳ（Complementary Metal Oxide Semiconductor）やＣＣＤ（Charge Coupled Device）などから構成される撮像部１２上に合焦され、電気信号に変換される。変換された電気信号は、ＬＳＩ（Large Scale Integration circuit）などから構成される映像入力回路１１によって、所定の映像信号に変換されて映像データが生成される。映像入力回路１１で生成された映像データは、内部バス５０を介して後述のバッファ３２に出力される。
【００１６】
ビデオカメラ１が集音する音声は、マイク２４によって電気信号に変換され、さらに映像音声入出力回路２１において音声データが生成される。映像音声入出力回路２１で生成された音声データは、内部バス５０を介して後述のバッファ３２に出力される。
【００１７】
なお、ビデオカメラ１の外部から映像信号及び／又は音声信号を入力可能な外部入力端
子を後述するように備え、入力された映像信号及び／又は音声信号を映像音声入力回路２１を介して映像データ及び／又は音声データに変換し、内部バス５０を介して後述のバッファ３２に出力するようにしてもよい。
【００１８】
入出力部２０は、撮影部１０から入力された映像データ及び音声データ（以下、２つのデータを合わせて特に撮影データという）を出力するためのものである。入出力部２０は、映像音声入出力回路２１、モニタ２２、スピーカ２３、及び外部入出力端子２５を備えている。
【００１９】
映像入力回路１１から入力された映像データは、映像音声入出力回路２１を介してＬＣＤ（Liquid Crystal Display）などから構成されるモニタ２２に映像として表示される。マイク２４を介して映像音声入出力回路２１に入力された音声データは、そのままスピーカ２３に音声として出力される。ただし、再生時はマイク２４からの音声データではなく後述するバッファ３３に蓄えられた音声データを音声として出力する。
【００２０】
また、撮影部１０から入力された映像データは、ＨＤＭＩ（High Definition Multimedia Interface）端子などから構成される外部入出力端子２５を介し、接続される外部の機器に出力することも可能である。本実施形態では、外部入出力端子２５に接続された外部の機器に撮影データを出力するようにしたが、これに限定されず、外部入出力端子２５に接続された外部の機器から撮影データを入力するようにしてもよい。
【００２１】
制御部３０は、ユーザインタフェース３１、バッファ３２、圧縮伸張処理回路３３、転送用映像作成回路３４、被写体特徴量算出回路３５、重要度受信回路３６、評価者情報受信回路３７、ダイジェスト作成回路３８及びメインコントローラ３９を備えている。
【００２２】
ユーザインタフェース３１は、操作ボタンやタッチパネルなどから構成され、ビデオカメラ１の利用者によって操作されたときに、操作内容に応じた操作データを内部バス５０を介してメインコントローラ３９に出力する。
【００２３】
バッファ３２は、ＳＤＲＡＭ（Synchronous Dynamic Random Access Memory）などから構成されるバッファメモリである。バッファ３２は、後述のブルーレイディスク４３などの光ディスクにデータを記録する際に一定量ずつデータを記録する、いわゆる間欠記録をするためのものである。撮影部１０から入力された撮影データは、バッファ３２に一時的に蓄積（記憶）される。
【００２４】
圧縮伸張処理回路３３は、メインコントローラ３９の制御に基づいて、入力される撮影データを圧縮し、圧縮した撮影データを内部バス５０を介して後述の記録部４０に出力する。なお、圧縮／伸張処理の方式として、例えばＭＰＥＧ（Moving Picture Experts Group）などが用いられる。本実施形態では、撮影データを圧縮伸張処理回路３３で圧縮してから記録部４０に出力するようにしたが、これに限定されず、圧縮せずに記録部４０に出力するようにしてもよい。
【００２５】
転送用映像作成回路３４は、前記圧縮伸張処理回路３３とは別の圧縮方式またはビットレートまたは画角で圧縮し、圧縮した撮影データを内部バス５０を介して後述の記録部４０に出力する。この圧縮データは後述する外部端末６０へ転送する際のデータとなる。前記記録部４０に出力するデータに比べて、画質が悪くてもサイズの小さいデータを転送することで、高速に外部端末６０にデータを転送することができ、外部端末６０での視聴の際の利便性を高められる効果がある。
【００２６】
被写体特徴量算出回路３５は、ＣＰＵ（Central Processing Unit）などから構成され、メインコントローラ３９と連携して動作し、バッファ３２に蓄積（記憶）された映像デ
ータを読み込んで当該映像データに含まれる人物の顔などの特徴量を検出する。また、被写体特徴量算出回路３５は、検出した顔の特徴量として、例えば当該顔における髪・目・鼻・口・輪郭の位置・形状・色相・色度などを定量的に特徴量として表す。色度を例にとると、濃淡を例えば６４段階で表してどの段階であるかを表すなどすれば良い。抽出し、顔の特徴量、顔画像、検出日時などから構成される人物データを、内部バス５０を介して内部記録媒体であるハードディスク（ＨＤＤ）４２に出力する。さらに、被写体特徴量算出回路３５は、映像データから人物の顔を検出すると、顔検出を示す検出データを内部バス５０を介してメインコントローラ３９に出力する。なお、映像データに含まれる人物が複数の場合、被写体特徴量算出回路３５は、それぞれの人物について、顔を検出して人物データを出力する。また、被写体特徴量算出回路３５は、後述する評価者情報受信回路３７と連携して動作させ、後述する外部端末における評価者情報として顔画像が入力されると、その顔画像の人物データを生成する。すなわち、ビデオカメラ１で撮影された人物のみならず、外部端末から送られた映像データに含まれる人物の顔を検出して人物データを生成する。
【００２７】
重要度受信回路３６は、メインコントローラ３９の制御に基づいて、後述する外部端末６０からのシーンの重要度情報を後述する通信インターフェース７０を介して受信する。前記外部端末６０が複数台ある場合は各外部端末６０からの情報を総合して重要度を決定する。
【００２８】
複数台の外部端末６０から前記重要度を受信した場合の重要度決定方法を図２に示す。図２は重要度決定方法の一実施例を示す説明図であり、前記外部端末６０が３台ある場合を例にとって説明している。ハイライト領域とは後述するハイライト選択操作によって各端末から各端末を操作するユーザの関心の高いシーンの時間的な位置をビデオカメラ１に送信する。その受信結果がそれぞれ「外部端末Ａのハイライト領域」、「外部端末Ｂのハイライト領域」と「外部端末Ｃのハイライト領域」と記述されている。これら領域の重複度合いによって重要度０，１，２・・・と決定される。重要度受信回路３６は、前記重要度を内部バス５０を介してメインコントローラ３７に出力する。重要度は負の値をとることもでき、この場合は意図的に重要ではないシーン、つまりハイライトとしてふさわしくない領域として通知することができる。
【００２９】
評価者情報受信回路３７は、メインコントローラ３９の制御に基づいて、後述する外部端末６０から評価者情報を通信インターフェース７０を介して受信する。本実施例では評価者情報として外部端末６０の操作者（評価者）の顔写真データを利用する。前記外部端末６０から送信された前記顔写真データは評価者情報として評価者情報受信部３７に受信され、メインコントローラ３９の制御に基づいて、被写体特徴量算出回路３５で特徴量を算出し、メインコントローラ３９に評価者特徴量として出力する。
【００３０】
ダイジェスト作成回路３８は、メインコントローラ３９の制御に基づいて、重要度受信回路３６から得られる重要度をもとにダイジェスト再生用のタイムスタンプ位置情報を生成する。次にユーザの操作によってダイジェスト作成が指示されるとダイジェスト作成回路３８は、前記タイムスタンプ位置情報に基づき、撮影データからダイジェストデータを作成する。ここで、前記ユーザの操作とは、本実施例では外部端末からのダイジェストデータ取得依頼があったときを想定しているが、後述するブルーレイディスク４３やＳＤカード４４にダビングする際にダイジェストデータを作成してもよく、本発明はダイジェストデータ作成の契機は任意とできる。
【００３１】
記録部４０は、圧縮された撮影データを記録媒体に記録するためのものであり、記録媒体インターフェース４１、ハードディスク４２、ブルーレイディスク４３、及びＳＤカード４４を備えている。もちろん、記録媒体は４２、４３、４４の３つに限定するものではなく、さらに多くのものを備えても良く、またそのうち１つか２つであっても良い。
【００３２】
圧縮伸張処理回路３５から入力される圧縮された撮影データは、ハードディスクドライブやブルーレイディスクドライブなどから構成される記録媒体インターフェース４１を介し、ハードディスク４２、ブルーレイディスク４３及びＳＤカード４４などの記録媒体に送信され、記録される。
【００３３】
ネットワークカードを含む通信インターフェース７０は、ＬＡＮ（Local Area Network）などの外部ネットワークＮを介して外部端末６０と双方向にデータをやり取りできる。なお、外部ネットワークＮを介して接続される外部端末６０との通信手段は、有線であっても無線であってもよい。
【００３４】
本実施形態では、記録媒体としてハードディスク４２、ブルーレイディスク４３及びＳ
Ｄカード４４とに、撮影データを記録可能にしたが、これに限定されず、例えば通信インターフェース７０を介してネットワークＮ上の外部端末６０に記録するようにしてもよいし、外部入出力端子２５を介して接続される記録媒体に記録するようにしてもよい。
【００３５】
次に図３から図５を用いて、ダイジェストデータの作成手順について説明する。
【００３６】
図３は、シーンを記録する手順からダイジェストデータの作成までの手順の一実施例を説明するフローチャートである。撮影者はユーザインタフェース３１にある記録ボタンを押すことでビデオカメラに動画を記録する（Ｓ３０１）。ユーザインタフェース３１には記録媒体を選択するスイッチが用意されており、撮影者はあらかじめどの媒体に記録するか指定している。メインコントローラ３９は、記録媒体を選択するスイッチによって記録媒体をハードディスク４２、ブルーレイディスク４３、ＳＤカード４４を切替える。さらに、バッファ３２に蓄えられた撮像部１０と入出力部２０から入力される撮影データを、圧縮伸張処理回路３３と転送用映像作成回路３４とで圧縮し、圧縮したデータを再度バッファ３２に蓄え、十分蓄積されたら指定した記録媒体に記録していく。ここで、転送用映像作成回路３４で圧縮した転送用の圧縮データと、圧縮伸張処理回路３３で圧縮した前記シーンのデータは別々の記録媒体に記録してもよい。転送用の圧縮データは外部端末からの視聴用なので、容量の限られているブルーレイディスクやＳＤカードに記録せず、大容量のハードディスクに記録することが望ましい。
【００３７】
次に、視聴者が前記ビデオカメラ１に記録されたデータを外部端末６０から閲覧する場合について述べる。ビデオカメラ１は外部端末６０からネットワークＮを介して視聴データ転送要求があると（Ｓ３０２）、ビデオカメラ１から外部端末６０に転送用の圧縮データを送信する（Ｓ３０３）。転送用の圧縮データは前記したとおり圧縮率を高くしたデータであり、短時間にデータを転送することができ、外部端末６０での再生をすぐに始めることができる。また、一般にハイビジョンのコンテンツを複数台の外部端末で視聴する際には、ネットワークＮに多くの負荷がかかる。しかし、本実施例のように転送用の圧縮率を高くしたデータを用いることで、ネットワークＮの負荷を軽減でき、外部端末での再生をスムーズに行うことができる。
【００３８】
次に、視聴者は前記外部端末からシーンの中でどこが重要であるかの情報（ハイライト情報）を指定し、ビデオカメラ１にハイライト位置情報を転送する（Ｓ３０４）。
【００３９】
以下具体的な操作について外部端末６０の操作画面例について、図４と図５の一実施例を参照しながら説明する。外部端末６０はビデオカメラ１から取得したデータを再生中に、シーンの一部分をハイライト領域と設定できる。図４の画面下にあるタイムラインはシーンの時間に対応している。逆三角印は現在の再生位置を表しており、ハイライト開始点と終了点でユーザからのキー入力などを受付、本例では黒色に塗られた領域がハイライト領域として設定されたことを表している。ハイライト領域の設定が終了すると、図５に示すように設定したハイライト領域の重要度を設定する。場面場面によって重要度を任意に設定することができ、後のビデオカメラ側でのダイジェスト作成時に加味される。
【００４０】
次に外部端末６０からビデオカメラ１に送信するデータの構造につき、図６の一実施例を用いて説明する。
前記外部端末６０で設定された重要度情報は、図６に示すリスト形式で前記外部端末６０搭載の内蔵メモリに一旦格納され、シーンの視聴終了時にビデオカメラ１に転送される。本実施例ではシーン内のハイライト開始時刻と終了時刻及び重要度を重要度情報として保持するが、本発明はこれに限定せず、例えば時刻情報の代わりにファイルの位置を表すアドレスを保持するといった方法でもよい。
【００４１】
また、外部端末６０は前記重要度情報に加え、誰が前記重要度を決定したのかを識別するための評価者情報をあわせて送信することで、プライバシーの保護などに利用できる。具体的な実施例を以下に示す。評価者情報としてあらかじめ外部端末６０に評価者（操作者）の情報を登録しておく。前記評価者情報として本実施例では評価者本人の顔写真を用いる。前記評価者情報は、シーンの視聴終了時にビデオカメラ１に前記図６に示すリスト形式転送する際に同時に評価者情報として送信する。ビデオカメラ１は外部端末からの評価者情報を受信すると、被写体特徴量算出回路３５で前記評価者情報である評価者の顔写真から特徴量を算出し、メインコントローラ３９に評価者特徴量として出力する。評価者情報として顔写真を用いると、記録再生したシーンに同一人物が映っていた場合に、重要度をより強くすることで被写体の意思を強く反映することが可能となる。例えば、評価者が被写体と同一人物である場合に負の重要度を設定すると、他の評価者がいくらハイライト領域と設定しても評価者の重要度が尊重されるようにできるため、プライバシー保護に有効である。また例えばスキー旅行に持参した１台のカメラで撮影した動画像につき、複数の同行者が帰路にダイジェストを作成する場合、同行者各々が外部端末６０の一例である携帯電話機から、ネットワークＮを介してビデオカメラ１へ前記ハイライト情報を送る。この際に、自分が転倒した場面などをダイジェストに入れないように機能できる。
【００４２】
以上の操作を複数の外部端末から行えば、ビデオカメラ１のシーンに対する複数の重要度情報が複数蓄積される。メインコントローラ３９は、この複数の重要度情報に基づきダイジェスト作成回路３８によって、ビデオカメラ１はダイジェストを作成する。ダイジェストの作成方法は図２にて前述したとおり、複数の重要度が重なっている領域はそれらの重要度の和で重要度を決定する。
【００４３】
次に、図３において外部端末からダイジェスト版取得要求を出す（Ｓ３０５）。ダイジェスト版取得要求は、例えば１分のデータにして欲しいといった情報を外部端末からビデオカメラ１に要求する。ビデオカメラ１が前記要求を受付けると、前記蓄積された重要度情報に基づき、重要度の高い場面を中心に１分に収まるように動画像データを切出し、ダイジェストデータを作成する。ここでは１分としたが、本発明はこれに限定せず外部端末操作者が指定することもできるし、ビデオカメラ１の基本設定情報としてあらかじめメインコントローラ３９に時間を保持し、ダイジェスト版取得要求受付け時に読み出し、ダイジェスト作成回路３８に設定してもよい。
【００４４】
ダイジェスト作成回路３８によって作成されたデータは、ダイジェストデータを取得要求した外部端末にネットワークＮを介して転送され、外部端末６０にダイジェストデータを保存できる。
【００４５】
以上説明したように本発明によれば、ビデオカメラ１で記録されたシーンに対して、複数人が別々の外部端末から視聴し、各々の嗜好をビデオカメラ１に返信できるので、撮影者だけでなく複数人の嗜好を反映したダイジェストデータを作成できる。また外部端末から視聴する際にはデータサイズの少ない高圧縮なデータを用いるため、外部端末とのデータ通信網であるネットワークＮへの負荷が小さい。また、データサイズが小さいため、データを転送する時間が短縮され、外部端末ですぐに視聴することができる。また、外部端末からの評価者情報として顔写真をビデオカメラ１に送信するので、ビデオカメラ１がダイジェストを作成する際に、記録再生された被写体と外部端末から送信された顔写真の特徴量が一致した時は、その評価者（被写体と同一人物）の重要度を最優先してそのシーンの重要度として反映することで、被写体の嗜好を優先させることができる。これは、被写体がプライバシーを保護したいと考え、シーンのうちダイジェストとして採用して欲しくないといった意思を確実に反映することができ、利用者の利便性を高めることができる。
【００４６】
なお、本発明の構成は、前述の実施形態にのみ限定されるものではなく、本発明の要旨を逸脱しない範囲内において種々変更を加えても良く、いずれも本発明の範疇にある。
【図面の簡単な説明】
【００４７】
【図１】本発明による情報記録再生装置の一実施例を示すブロック図である。
【図２】ダイジェスト作成時の重要度決定方法の一実施例を示す説明図である。
【図３】本発明のダイジェスト作成方法の一実施例を示すフローチャートである。
【図４】外部端末から重要度領域を設定する設定画面の一実施例を示す図である。
【図５】外部端末から重要度を設定する設定画面の一実施例を示す図である。
【図６】外部端末からビデオカメラに送信するデータ構造の一実施例を示す図である。
【符号の説明】
【００４８】
１…ビデオカメラ、３４…転送用映像作成回路、３５…被写体特徴量算出回路、３６…重要度受信回路、３７…評価者情報受信回路、３８…ダイジェスト作成回路、３９…メインコントローラ、４２…ハードディスク、４３…ブルーレイディスク、４４…ＳＤカード、６０…外部端末。
【図１】
2010109464.tif 000003
【図２】
2010109464.tif 000004
【図３】
2010109464.tif 000005
【図４】
2010109464.tif 000006
【図５】
2010109464.tif 000007
【図６】
2010109464.tif 000008